(57)【要約】 【課題】本発明は、ディスプレー装置とその駆動方法に係り、より詳しくは、有機電界発光素子及びその駆動方法に関する。【解決手段】本発明は、第１フレーム期間の間に、表示パネルの第１画面領域に、第１フレームの第１データ信号配列を出力する段階と；前記第１フレーム期間の間に、表示パネルの第２画面領域に、第２フレームの第２データ信号配列を出力する段階を含むディスプレー装置の駆動方法を提供する。本発明は、第１画面領域と第２画面領域を有する表示パネルと；第１フレーム期間の間、前記第１画面領域に第１フレームの第１データ信号配列を供給して、前記第２画面領域に第２フレームの第２データ信号配列を供給する駆動回路制御部を含むディスプレー装置を提供する。【選択図】      図５
2006189840.tif 000002
【特許請求の範囲】
【請求項１】
第１フレーム期間の間に、表示パネルの第１画面領域に、第１フレームの第１データ信号配列を出力する段階と；
前記第１フレーム期間の間に、表示パネルの第２画面領域に、第２フレームの第２データ信号配列を出力する段階を含むディスプレー装置の駆動方法。
【請求項２】
第１データ信号配列と第２データ信号配列各々は、第１画面領域と第２画面領域各々の上側から下側の方向に順に出力されることを特徴とする請求項１に記載のディスプレー装置の駆動方法。
【請求項３】
前記第１フレームは、第(ｎ＋１)フレームであって、前記第２フレームは、第ｎフレームであることを特徴とする請求項１に記載のディスプレー装置の駆動方法。
【請求項４】
前記第１画面領域は、上部画面領域であって、前記第２画面領域は、下部画面領域であることを特徴とする請求項１に記載のディスプレー装置の駆動方法。
【請求項５】
前記第(ｎ＋１)フレームのデータ信号から前記第１データ信号配列を抽出して、前記第ｎフレームのデータ信号から前記第２データ信号配列を抽出し、
第１メモリ素子に、前記第(ｎ＋１)フレームの第１データ信号配列と前記第ｎフレームの第２データ信号配列を貯蔵する段階をさらに含むことを特徴とする請求項３に記載のディスプレー装置の駆動方法。
【請求項６】
前記第１メモリ素子に貯蔵する段階の前に、前記第(ｎ＋１)フレームの第１データ信号配列と前記第ｎフレームの第２データ信号配列を第２メモリ素子に貯蔵する段階をさらに含むことを特徴とする請求項５に記載のディスプレー装置の駆動方法。
【請求項７】
多数の第１データ信号配列と第２データ信号配列を多数の第１貯蔵装置に貯蔵して、前記多数の第１データ信号配列と第２データ信号配列は、順に出力されることを特徴とする請求項５に記載のディスプレー装置の駆動方法。
【請求項８】
前記表示パネルは、有機電界発光パネルを含むことを特徴とする請求項１に記載のディスプレー装置の駆動方法。
【請求項９】
第１画面領域と第２画面領域を有する表示パネルと；
第１フレーム期間の間、前記第１画面領域に第１フレームの第１データ信号配列を供給して、前記第２画面領域に第２フレームの第２データ信号配列を供給する駆動回路制御部を含むディスプレー装置。
【請求項１０】
前記第１フレームは、第(ｎ＋１)フレームであって、前記第２フレームは、第ｎフレームであることを特徴とする請求項９に記載のディスプレー装置。
【請求項１１】
前記第１画面領域は、上部画面領域であって、前記第２画面領域は、下部画面領域であることを特徴とする請求項９に記載のディスプレー装置。
【請求項１２】
前記第１画面領域と第２画面領域各々に位置する複数のゲート配線をさらに含み、前記複数のゲート配線は、前記第１画面領域と第２画面領域各々の上側から下側の方向に順に走査されることを特徴とする請求項９に記載のディスプレー装置。
【請求項１３】
前記駆動回路制御部は、前記第(ｎ＋１)フレームの第１データ信号配列と前記第ｎフレームの第２データ信号配列を貯蔵する第１メモリ素子を含むことを特徴とする請求項１０に記載のディスプレー装置。
【請求項１４】
前記駆動回路制御部は、第(ｎ＋２)フレームの第１データ信号配列と前記第(ｎ＋１)フレームの第２データ信号配列を貯蔵する第２メモリ素子をさらに含むことを特徴とする請求項１３に記載のディスプレー装置。
【請求項１５】
多数の第１画面領域と第２画面領域を駆動するための多数の第１メモリ素子を含むことを特徴とする請求項１３に記載のディスプレー装置。
【請求項１６】
前記表示パネルは、有機電界発光パネルを含むことを特徴とする請求項９に記載のディスプレー装置。
【発明の詳細な説明】
【技術分野】
【０００１】
本発明は、ディスプレー装置とその駆動方法に係り、より詳しくは、有機電界発光素子及びその駆動方法に関する。
【背景技術】
【０００２】
最近、使用されているディスプレー装置であるアクティブマトリックス液晶表示装置(ＡＭＬＣＤ)は、軽薄、低消費電力の特性を有しているが、それ自体に発光特性がないために、バックライトを利用しなければならない短所がある。
【０００３】
液晶表示装置の短所を解消するためのディスプレー装置として有機電界発光素子ＯＥＬＤが使用されるが、有機電界発光素子は、蛍光性有機化合物を電気的に励起させて発光する自発光性表示装置であって、低い電圧で駆動できて、薄膜等の長所がある。
【０００４】
図１は、従来の有機電界発光素子を示した回路図である。
図１に示したように、第１方向に沿って配列された複数のゲート配線(Ｇ１、Ｇ２、...Ｇｍ)と、第２方向に沿って配列された複数のデータ配線(Ｄ１、Ｄ２、...Ｄｎ)が位置する。前記ゲート配線(Ｇ１、Ｇ２、...Ｇｍ)とデータ配線(Ｄ１、Ｄ２、...Ｄｎ)は、マトリックス状に配列された多数の画素領域を定義する。各画素領域には、スイッチング薄膜トランジスタＰ１と、ストレージキャパシターＣ１、駆動薄膜トランジスタＰ２及び有機電界発光ダイオードＯＥＤが構成されている。
【０００５】
スイッチング薄膜トランジスタＰ１のゲート電極は、ゲート配線(Ｇ１、Ｇ２、...Ｇｍ)に連結されて、ソース電極は、データ配線(Ｄ１、Ｄ２、...Ｄｎ)に連結される。ストレージキャパシターＣ１の第１電極は、スイッチング薄膜トランジスタＰ１のドレイン電極に連結されて、第２電極は、パワー端子Ｖｄｄに連結される。駆動薄膜トランジスタＰ２のソース電極は、パワー端子Ｖｄｄに連結されて、ゲート電極は、スイッチング薄膜トランジスタＰ１のドレイン電極に連結され、ドレイン電極は、有機電界発光ダイオードＯＥＤの第１電圧に連結される。有機電界発光ダイオードＯＥＤの第２電圧は、接地端子に連結される。
【０００６】
図１に示した有機電界発光素子の駆動方法を説明する。
ゲート配線に印加されるオン(ＯＮ)ゲート信号によりスイッチング薄膜トランジスタＰ１がオンになると、データ配線に印加されるデータ信号によりストレージキャパシターＣ１に電荷が蓄積される。前記ストレージキャパシターＣ１に蓄積された電圧により駆動薄膜トランジスタＰ２に流れる電流の量が決定されて、決定された電流の量により有機電界発光ダイオードＯＥＤが発光され、発光量を決める。
【０００７】
前述した方法によりゲート配線(Ｇ１、Ｇ２、...Ｇｍ)は、順に走査され、データ配線(Ｄ１、Ｄ２、...Ｄｎ)を通じてデータ信号が印加される。
【０００８】
また、前記の方法により駆動される有機電界発光素子は、近来には、技術の発展と共に、徐々に大型化及び大面積化される趨勢にある。
【０００９】
このようなパネルの大面積化は、パネル内に構成される信号配線、例えば、データ配線及びゲート配線もさらに長くなって、前記信号配線の抵抗/キャパシタンス（Ｒ／Ｃ）遅延による信号歪曲とストレージキャパシターへの信号充電が遅延される等の現象を引き起こして、結局、画面歪曲等を有する。
【００１０】
これを解決するために、画面を多数の領域に分割して、前記分割された画面領域を駆動する別途の駆動回路部を構成することによって、前述した問題を解決する方法が提示された。
【００１１】
図２は、分割された画面領域を有する従来の有機電界発光素子を示した図面である。
図２に示したように、全体画面領域は、多数のサブ画面領域(Ｓ１〜Ｓ６)に分割されて、各々のサブ画面領域(Ｓ１〜Ｓ６)は、画像表示のために、データ駆動回路(Ｓ１−ＤＡＴＡ〜Ｓ６−ＤＡＴＡ)とゲート駆動回路(Ｓ１−ＳＣＡＮ〜Ｓ６−ＳＣＡＮ)を各々別途に備えている。図示してはないが、第２サブ画面領域Ｓ２及び第５サブ画面領域Ｓ５のゲート駆動回路は、備えられている。
【００１２】
上記のように分割されたサブ画面領域(Ｓ１〜Ｓ６)各々は、独立的に駆動される。駆動回路制御部(図示せず)は、前記各駆動回路(Ｓ１−ＤＡＴＡ〜Ｓ６−ＤＡＴＡ、Ｓ１−ＳＣＡＮ〜Ｓ６−ＳＣＡＮ)を制御して、外部装置から入力を受けたデータ信号が貯蔵されるメモリ素子を備える。駆動回路制御部に入力された１フレーム分のデータ信号は、各々のサブ画面領域(Ｓ１〜Ｓ６)に入力される多数のデータ信号配列に区分され、各データ駆動回路(Ｓ１−ＤＡＴＡ〜Ｓ６−ＤＡＴＡ)へと出力される。前記サブ画面領域(Ｓ１〜Ｓ６)に出力されるデータ信号配列の入力を受けた前記各データ駆動回路(Ｓ１−ＤＡＴＡ〜Ｓ６−ＤＡＴＡ)は、前記各ゲート駆動回路(Ｓ１−ＳＣＡＮ〜Ｓ６−ＳＣＡＮ)との連動により前記各サブ画面領域(Ｓ１〜Ｓ６)にデータ信号を同時に出力して１画面を表示する。
【００１３】
ところが、上記のような方法による画面分割駆動方法は、液晶に比べて、応答速度が速い電流駆動素子の有機電界発光素子、特に、大面積ディスプレー装置で実行される場合、分割された画面領域の上/下の境界部で画面が不連続的に進行される現象が発生する。
【００１４】
これを、図３の２−分割画面駆動進行図を参照して説明する。
図３は、上/下に分割された従来の有機電界発光素子を駆動する方法を説明するための駆動進行図であって、図４は、図３の有機電界発光素子の駆動回路制御部でのデータ信号の転送の流れを示した図面である。
【００１５】
図示したように、画面は、上部サブ画面領域Ｕと下部サブ画面領域Ｌに分割され駆動して、第１位置Ａから第２位置Ｂに移動される動映像の駆動を、時間の流れによって分割されたサブ画面領域(Ｕ、Ｌ)の１/４領域単位に行われた駆動結果を、順序(ＳＴ１→ＳＴ２→ＳＴ３→ＳＴ４)によって示している。
【００１６】
各々のサブ画面領域(Ｕ、Ｌ)は、個別的に構成されたデータ駆動回路(図示せず)及びゲート駆動回路(図示せず)によって独立的に駆動される。
【００１７】
また、駆動回路制御部は、１フレーム分のデータ信号の入力を受けて各サブ画面領域(Ｕ、Ｌ)のデータ駆動回路へと同時に印加される。各サブ画面領域(Ｕ、Ｌ)は、上側から下側に順に駆動される。
【００１８】
この時、上記駆動回路制御部１０を通じたデータ信号の転送の流れは、図４のように、駆動回路制御部１０は、入力されるデータ信号で、上記上部サブ画面領域Ｕ及び下部サブ画面領域Ｌに同一順番フレームのデータ信号が記入されるように出力を制御する。
【００１９】
すなわち、第(ｎ−１)フレームのデータ信号全部の入力を受けた後、上記上部サブ画面領域Ｕ及び下部サブ画面領域Ｌに、第(ｎ−１)フレームの上部データ信号配列及び第(ｎ−１)フレームの下部データ信号配列を区分して出力する。上記第(ｎ−１)フレームのデータ信号が記入される間、第ｎフレームのデータ信号が上部サブ画面領域Ｕ及び下部サブ画面領域Ｌに記入されるために、上記駆動回路制御部１０に入力して貯蔵される。
【００２０】
ところが、前述したように、１フレーム分のデータを上/下に分割されたサブ画面領域(Ｕ、Ｌ)で区分して表示する場合、応答速度が大変速い有機電界発光素子では、図３に図示したように、各サブ画面領域(Ｕ、Ｌ)へのデータ信号の入力が行われる間、画面の上部サブ画面領域Ｕ及び下部サブ画面領域Ｌ間の境界で、画面移動が滑らかでなくなる。このような不自然な画面移動は、使用者の眼に認識され、まるで以前のフレーム画面と現在のフレーム画面が重なったような画面めくりをする短所がある。
【００２１】
このような問題を、図３を参照して、より詳しく説明する。
図３で、動映像は、第１ないし第４段階(ＳＴ１〜ＳＴ４)により第１位置Ａから第２位置Ｂに移動する。
【００２２】
第１段階ＳＴ１及び第２段階ＳＴ２の間に、すなわち、第ｎフレーム期間(垂直周期:vertical period)の半分に当たる期間の間に、下部サブ画面領域Ｌの動映像は、第１位置Ａから第２位置Ｂに全部移動されるが、上部サブ画面領域Ｕの動映像は、第１位置Ａに止まる。
【００２３】
それから、第３段階ＳＴ３及び第４段階ＳＴ４の間に、すなわち、第 ｎフレーム期間の残りの半分に当たる期間の間に、上部サブ画面領域Ｕの動映像は、第１位置Ａから第２位置Ｂに移動される。
【００２４】
このように、同一フレームのデータ信号が独立的に駆動される上部サブ画面領域Ｕ及び下部サブ画面領域Ｌに区分され、同時に記入されることによって、上部サブ画面領域Ｕ及び下部サブ画面領域Ｌの境界部分では、不自然に画面が移動する問題が発生する。
【発明の開示】
【発明が解決しようとする課題】
【００２５】
本発明は、前述したような問題を解決するために案出されたものであって、画面領域の上/下分割駆動による動映像の表示において、画面分割境界部分での自然な画面移動を実現することを目的とする。
【課題を解決するための手段】
【００２６】
本発明は、前述した目的を達成するために、第１フレーム期間の間に、表示パネルの第１画面領域に、第１フレームの第１データ信号配列を出力する段階と；前記第１フレーム期間の間に、表示パネルの第２画面領域に、第２フレームの第２データ信号配列を出力する段階を含むディスプレー装置の駆動方法を提供する。
【００２７】
ここで、第１データ信号配列と第２データ信号配列各々は、第１画面領域と第２画面領域各々の上側から下側の方向に順に出力される。
【００２８】
前記第１フレームは、第(ｎ＋１)フレームであって、前記第２フレームは、第ｎフレームである。
【００２９】
前記第１画面領域は、上部画面領域であって、前記第２画面領域は、下部画面領域である。
【００３０】
前記第(ｎ＋１)フレームのデータ信号から前記第１データ信号配列を抽出して、前記第ｎフレームのデータ信号から前記第２データ信号配列を抽出し、第１メモリ素子に、前記第(ｎ＋１)フレームの第１データ信号配列と前記第ｎフレームの第２データ信号配列を貯蔵する段階をさらに含む。
【００３１】
前記第１メモリ素子に貯蔵する段階の前に、前記第(ｎ＋１)フレームの第１データ信号配列と前記第ｎフレームの第２データ信号配列を第２メモリ素子に貯蔵する段階をさらに含む。
【００３２】
多数の第１データ信号配列と第２データ信号配列を多数の第１貯蔵装置に貯蔵して、前記多数の第１データ信号配列と第２データ信号配列は、順に出力される。
【００３３】
前記表示パネルは、有機電界発光パネルを含む。
【００３４】
更に、本発明は、第１画面領域と第２画面領域を有する表示パネルと；第１フレーム期間の間、前記第１画面領域に第１フレームの第１データ信号配列を供給して、前記第２画面領域に第２フレームの第２データ信号配列を供給する駆動回路制御部を含むディスプレー装置を提供する。
【００３５】
ここで、前記第１フレームは、第(ｎ＋１)フレームであって、前記第２フレームは、第ｎフレームである。
【００３６】
前記第１画面領域は、上部画面領域であって、前記第２画面領域は、下部画面領域である。
【００３７】
前記第１画面領域と第２画面領域各々に位置する複数のゲート配線をさらに含み、前記複数のゲート配線は、前記第１画面領域と第２画面領域各々の上側から下側の方向に順に走査される。
【００３８】
前記駆動回路制御部は、前記第(ｎ＋１)フレームの第１データ信号配列と前記第ｎフレームの第２データ信号配列を貯蔵する第１メモリ素子を含む。
【００３９】
また、前記駆動回路制御部は、第(ｎ＋２)フレームの第１データ信号配列と前記第(ｎ＋１)フレームの第２データ信号配列を貯蔵する第２メモリ素子をさらに含む。
【００４０】
多数の第１画面領域と第２画面領域を駆動するための多数の第１メモリ素子を含む。
前記表示パネルは、有機電界発光パネルを含む。
【００４１】
以下、添付された図面を参照して、本発明を詳しく説明する。
【発明の効果】
【００４２】
本発明の実施例によるディスプレー装置とその画面分割駆動方法は、上部サブ画面領域と下部サブ画面領域に分割して独立的に駆動されるディスプレー装置において、次のフレームのデータ信号を上部サブ画面領域に出力して、現在のフレームのデータ信号を下部サブ画面領域に出力する。従って、動映像が上部サブ画面領域から下部サブ画面領域に進行しながら自然に画面転換が行われて、使用者の眼には分割された画面領域の境界部で自然に画面がめくられるように観える長所がある。
【実施例】
【００４３】
本発明の実施例で提案するディスプレー装置の画面分割駆動方式は、応答速度の速いディスプレーパネル、例えば、有機電界発光素子に適用される。
ここでは、画像が表示される画面領域を上部画面領域と下部画面領域に２分割して、各画面領域は、別途に構成された上部画面駆動回路と下部画面駆動回路によりデータ信号及びゲート信号の印加を受けて画像を表示することを例えて説明する。
【００４４】
図５は、本発明の実施例による有機電界発光素子の画面分割駆動方法を説明するための駆動進行図であって、図６は、本発明の実施例による有機電界発光素子を示した図面であり、図７は、有機電界発光素子の駆動回路制御部でのデータ信号の転送の流れを示した図面である。
【００４５】
第１位置Ａの動映像が第２位置Ｂに自然に移動される画面表示駆動を行うが、表記された駆動順(ＳＴ１１→ＳＴ１２→ＳＴ１３→ＳＴ１４)に画面表示が時間の流れによって進行される。
【００４６】
駆動方法を簡略に説明すると、画面が上下に分割された上部サブ画面領域Ｕと下部サブ画面領域Ｌは、同じタイミングに表示が行われて、上部データ駆動回路(Ｕ−ＤＡＴＡ)が第(ｎ＋１)フレームのデータ信号のうち、上部サブ画面領域Ｕに対応するデータ信号配列を上記上部サブ画面領域Ｕに出力すると、上記下部データ駆動回路(Ｌ−ＤＡＴＡ)は、 第ｎフレームのデータ信号のうち、下部サブ画面領域Ｌに対応するデータ信号配列を上記下部サブ画面領域Ｌに出力する。上記ｎは、１以上の自然数であって、上記方法により毎画面ごと駆動が行われる。
【００４７】
図５に示したように、連続的に進行される各段階(ＳＴ１１〜ＳＴ１４)において、上部サブ画面領域Ｕに記入されるデータ信号と下部サブ画面領域Ｌに記入されるデータ信号間のフレームの順序が異なる。すなわち、上部サブ画面領域Ｕに記入されるデータ信号が下部サブ画面領域Ｌに記入されるデータ信号より順序上は、１フレーム後のデータ信号であるが、画面の滑らかなめくりのために、同じ時点に表示される。
【００４８】
勿論、分割されたサブ画面領域Ｕ、Ｌにデータ信号が記入される方法は、画面の上側から下側の方向に順に走査されるゲート信号に合わせて表示パネル１００にデータ信号を入力して画像が表示される。
【００４９】
以下、本発明の実施例による有機電界発光素子の駆動方法をより詳しく説明する。
【００５０】
第１段階ＳＴ１１での画面は、第１フレーム期間の初点から３/４に当たる期間の間進行された画面を示している。上部サブ画面領域Ｕには、 第ｎフレームの上部データ信号配列が記入されて、下部サブ画面領域Ｌには、第ｎフレームの以前フレームである第(ｎ−１)フレームの下部データ信号が記入される。上記上部サブ画面領域Ｕと下部サブ画面領域Ｌは、各々上側から下側に３/４領域まで記入されている。ここで、上記ｎは、１以上の自然数である。
【００５１】
第１段階ＳＴ１１の間、上部サブ画面領域Ｕの動映像の上部分は、第１位置Ａから第２位置Ｂに移動されて、下部サブ画面領域Ｌの動映像は、第１位置Ａにある。
【００５２】
第２段階ＳＴ１２での画面は、第１フレーム期間の３/４から４/４に当たる期間の間進行された画面を示している。すなわち、第１段階ＳＴ１１の画面記入以後を示した画面であって、上部サブ画面領域Ｕと下部サブ画面領域Ｌには、各々第ｎフレームの上部データ信号と第(ｎ−１)フレームの下部データ信号の記入が完了される。
【００５３】
第２段階ＳＴ１２の間、上部サブ画面領域Ｕの動映像の残りの部分が第１位置Ａから第２位置Ｂに移動されて、下部サブ画面領域Ｌの動映像は、まだ第１位置Ａにある。
【００５４】
前述した第１段階ＳＴ１１及び第２段階ＳＴ１２の間、第ｎフレームの上部データ信号配列全部が上部サブ画面領域Ｕに記入されて、第(ｎ−１)フレームの下部データ信号配列全部が下部サブ画面領域Ｌに記入される。従って、上部サブ画面領域Ｕでの動映像全体は、第１位置Ａから第２位置Ｂに移動されて、下部サブ画面領域Ｌでの動映像全体は、第１位置Ａに止まる。
【００５５】
第３段階ＳＴ１３の画面は、第１フレーム期間の次の第２フレーム期間の初点から１/４に当たる期間の間進行された画面を示している。すなわち、各々のサブ画面領域Ｕ、Ｌに、次の順序に当たるフレームのデータ信号が記入される画面であって、上部サブ画面領域Ｕには、第(ｎ＋１)フレームの上部データ信号配列が、下部サブ画面領域Ｌには、第ｎフレームの下部データ信号配列が各々１/４領域ほど記入された画面である。
【００５６】
第３段階ＳＴ１３の間、上部サブ画面領域Ｕの動映像は、第２位置Ｂに止まって、下部サブ画面領域Ｌの動映像の上部分は、第１位置Ａから第２位置Ｂに移動される。
【００５７】
第４段階ＳＴ１４での画面は、第２フレーム期間の１/４から１/２に当たる期間の間進行された画面を示している。すなわち、上記各サブ画面領域Ｕ、Ｌに入力される第(ｎ＋１)フレームの上部データ信号配列と 第ｎフレームの下部データ信号配列の半分が記入された画面である。
【００５８】
第４段階ＳＴ１４の間、上部サブ画面領域Ｕの動映像は、まだ第２位置Ｂに止まっており、下部サブ画面領域Ｌの動映像の残りの部分は、第１位置Ａから第２位置Ｂに移動される。
【００５９】
前述した第３段階ＳＴ１３及び第４段階ＳＴ１４の間、第(ｎ＋１)フレームの上部データ信号配列全部が上部サブ画面領域Ｕに記入されて、 第ｎフレームの下部データ信号配列全部が下部サブ画面領域Ｌに記入される。従って、上部サブ画面領域Ｕでの動映像の全体は、まだ第２位置Ｂに表示されて、下部サブ画面領域Ｌでの動映像全体は、第１位置Ａから第２位置に移動する。
【００６０】
結局、前述した第１段階ないし第４段階(ＳＴ１１〜ＳＴ１４)の間、 上部サブ画面領域Ｕには、下部サブ画面領域Ｌに比べて、順番が１つ前のデータ信号が供給される。従って、上部サブ画面領域Ｕと下部サブ画面領域Ｌの境界にかかる動映像は、自然に第１位置Ａから第２位置Ｂに移動される。
【００６１】
上記のような画面分割駆動方法を実現するために、有機電界発光素子は、表示パネル１００と、ゲート駆動回路(Ｕ−ＳＣＡＮ、Ｌ−ＳＣＡＮ)、データ駆動回路(Ｕ−ＤＡＴＡ、Ｌ−ＤＡＴＡ)と、駆動回路制御部１２０を含む。
【００６２】
ビデオカードのようなデータ供給部１１０は、画面に表示されるデータ信号を生成して出力する。
【００６３】
表示パネル１００は、データ信号が入力される画像を表示するが、分割駆動のために、上部サブ画面領域Ｕと下部サブ画面領域Ｌに区分される。
【００６４】
各々の上部サブ画面領域Ｕと下部サブ画面領域Ｐの独立的な駆動のために、上部ゲート駆動回路Ｕ−ＳＣＡＮ及び上部データ駆動回路Ｕ−ＤＡＴＡと、下部ゲート駆動回路Ｌ−ＳＣＡＮ及び下部データ駆動回路Ｌ−ＤＡＴＡが別途に構成される。
【００６５】
駆動回路制御部１２０は、上記データ供給部１１０から出力されるデータ信号の入力を受けて、１画面分ずつ順に貯蔵して出力する貯蔵部１２２を備える。
【００６６】
上記貯蔵部１２２に貯蔵される１画面分のデータ信号は、本発明による分割画面駆動方法を実現するために、第(ｎ＋１)フレームの上部データ信号配列と第ｎフレームの下部データ信号配列である。
【００６７】
上記第(ｎ＋１)フレームの上部データ信号配列と第ｎフレームの下部データ信号配列は、各々上部データ駆動回路Ｕ−ＤＡＴＡ及び下部データ駆動回路Ｌ−ＤＡＴＡに同時に出力され１つの画面表示を行う。
【００６８】
ここで、貯蔵部１２２は、第１メモリ素子１２２ａと第２メモリ素子１２２ｂを含む。例えば、第１メモリ素子１２２ａは、現在の画面を表示するためのデータ信号を貯蔵して、第２メモリ素子１２２ｂは、次の順番の場面を表示するためのデータ信号を貯蔵する。このような第１メモリ素子１２２ａと第２メモリ素子１２２ｂは、各々上部サブメモリ素子と下部サブメモリ素子を有する。上部サブメモリ素子は、下部サブメモリ素子に貯蔵された下部データ信号配列に当たるフレームの次のフレームの上部データ信号配列を貯蔵する。上記第１メモリ素子１２２ａのデータ信号が出力されると、上記第２メモリ素子１２２ｂのデータ信号は、第１メモリ素子１２２ａに転送され、このような方式によりデータ信号を転送して出力される。  さらに、上記第１メモリ素子１２２ａは、並列的に多数配列され、該当画面を表示するためのデータ信号が順に出力される。
【００６９】
また、貯蔵部１２２は、１フレームのデータ信号を貯蔵する第３メモリ素子をさらに含む。すなわち、上記第３メモリ素子に貯蔵された１フレームのデータ信号から上部データ信号配列と下部データ信号配列が抽出され第２メモリ素子１２２ｂに貯蔵される。このために、上記第３メモリ素子は、多数構成される。
【００７０】
一方、貯蔵部１２２は、上部データ駆動回路Ｕ−ＤＡＴＡと下部データ駆動回路Ｌ−ＤＡＴＡ各々の上部データ信号配列と下部データ信号配列を供給するために、前述したのとは異なる構造を有することもある。
【００７１】
前述した本発明の実施例は、２つのサブ画面領域を一例として説明した。しかしながら更に本発明は、図２のように、２つ以上のサブ画面領域を有する場合にも適用できる。
また、本発明は、有機電界発行素子を一例として説明したが、上部及び下部分割領域が独立的に分割駆動されるその他のディスプレー装置にも適用できる。
【００７２】
本発明は、上記実施例等に限られるのではなく、本発明の趣旨に反しない限度内で多様に変更して実施できる。
【図面の簡単な説明】
【００７３】
【図１】従来の有機電界発光素子を示した回路図である。
【図２】分割された画面領域を有する従来の有機電界発光素子を示した図面である。
【図３】上/下に分割された従来の有機電界発光素子を駆動する方法を説明するための駆動進行図である。
【図４】図３の有機電界発光素子の駆動回路制御部でのデータ信号の転送の流れを示した図面である。
【図５】本発明の実施例による有機電界発光素子の画面分割駆動方法を説明するための駆動進行図である。
【図６】本発明の実施例による有機電界発光素子を示した図面である。
【図７】図６の有機電界発光素子の駆動回路制御部でのデータ信号の転送の流れを示した図面である。
【符号の説明】
【００７４】
Ｕ：上部サブ画面領域              
Ｌ：下部サブ画面領域
Ａ：第１位置                      
Ｂ：第２位置
ＳＴ１：第１段階                  
ＳＴ２：第２段階
ＳＴ３：第３段階                  
ＳＴ４：第４段階
【図１】
2006189840.tif 000003
【図２】
2006189840.tif 000004
【図３】
2006189840.tif 000005
【図４】
2006189840.tif 000006
【図５】
2006189840.tif 000007
【図６】
2006189840.tif 000008
【図７】
2006189840.tif 000009